Podtech/llm-jp-corpus-v4-ja_patent huggingface dataset:
(57)【要約】      （修正有）【課題】従来から有るパウチ入りの被詰替え内容物を受け入れ容器側に移し替えるとき、移し替えが難しかった。パウチがぐにゃぐにゃしているがためにパウチの口も安定しないと共にパウチの口がしぼんだ形に戻ろうとする事もあり又パウチを不用意に握ったりすれば内容物に圧力が掛かって外部に飛び散ったり洩れたりする事があったためで、これらのおそれのない移し替え器を提供する。【解決手段】移し替え器は、漏斗４に先端部１を有する挿入安定棒２と、パウチ５開口部を押し広げる放射状ガイド３を設けたもので、パウチ５の開口部へ挿入安定棒２の先端部１からパウチ５内に挿入し、パウチ５がぐにゃぐにゃと不安定になるのを防ぐと共に放射状ガイド３によりパウチの口が最大限まで押し広げられた状態の時、パウチ５の内部に入った挿入安定棒２をパウチ５の外から掴んで保持してパウチ５を安定保持し、内容物をスムーズに移し替えることができるようにした。【選択図】図３
2015020758.tif 000002
【特許請求の範囲】
【請求項１】
パウチ開口部の隙間Ｂへ挿入し易くした先端部１を設けそれに連なる挿入安定棒２を具備し、パウチ開口部を押し広げる（拡張部）放射状ガイド３を設け合わせた移し替え器。
【発明の詳細な説明】
【技術分野】
【０００１】
この発明は、詰替え用パウチの内容物を簡単に漏らさず早く詰替えられることを目的としたものである。
【背景技術】
【０００２】
従来よりある、詰替え用洗剤等の入ったやわらかいプラスチックフィルム又はラミネート等で出来たパウチがある。
【０００３】
従来の技術として、パックの内容物を詰め替える時、パックの転倒防止と袋の内側が密着しやすいのでそれを解決しようとするものがある。
【先行技術文献】
【特許文献】
【０００４】
【特許文献１】特開２００９−４０５０１号公報
【発明の概要】
【発明が解決しようとする課題】
【０００５】
パウチ入りの洗剤等を受け入れ容器に詰替える際、パウチの注ぎ口を受け入れ容器の口へ押し込む又は押し当てる等して詰替え作業を行おうとする時、パウチの内容物の出口、言い換えれば注ぎ口が、ぐにゃぐにゃとして受け入れ容器の口に安定的に密接しにくい。  又パウチ本体の安定感も悪く不用意にパウチに力が掛けると、注ぎ口が受け入れ容器の口から外れたり、内容物が飛び散ったり、外部に漏れることが多々ある。この発明は、詰替え用パウチの内容物を簡単に早く漏らさず詰替えられることを目的としたものである。
【課題を解決するための手段】
【０００６】
前記の課題を解決するにあたって、この発明は、ぐにゃぐにゃするパウチ自体を安定させるために、適度な長さの棒状又は板状あるいはパイプ状のようなもの（以下は棒状のものとして説明する）２をパウチ内に差し込み、それを芯としてパウチがぐにゃぐにゃすることを防ぎパウチを安定させる事と、パウチの注ぎ口を最大限に広げて内容物をスムーズに移し替える事を特徴とする詰替え器である。なお詰替え内容物としては、液体、粉体、粒体のいずれのものにも対応可能である。
【発明の効果】
【０００７】
この発明は開封されたパウチの開口部の隙Ｂから挿入安定棒２をパウチ内に挿入して、放射状ガイド３でパウチの口が最大に押し広げられるまで挿入安定棒２をパウチの中に入れた時、パウチの外から指等で挿入安定棒２を保持すればぐにゃぐにゃするパウチであってもぐにゃぐにゃしなくなると共にパウチの口が最大限に広がった状態のままであるため内容物を漏れることなくスムーズに移し替える事が出来る。なお洗剤などの場合は詰替えが終了したパウチの押し広げられた口へ水道の蛇口などから水を入れてパウチ内部に残った内容物を有効に使用すればエコロジー効果もある。
【図面の簡単な説明】
【０００８】
【図１】開封前のパウチの底面図
【図２】本発明の斜視図
【図３】詰替え中の斜視図
【図４】パウチの切断拡大断面図
【実施例】
【０００９】
この発明を図面に基づいて説明すると、図１のパウチ５のパウチ開封切取線Ｃのところから切り取る。その時現れた形は第４図に示すような断面構造になっており、この図４のＢ（パウチ素材の隙）からパウチ５の隙に入れ易く、細く、もしくは薄平らなど隙に入れ
易い形状にした挿入安定棒先端１に連なる挿入安定棒２をパウチ５に挿入し、挿入されたパウチ５の切断されたＣの開口部を放射状のガイド３により十分押し広がった時パウチ５の中に入っている挿入安定棒２をパウチ５の外側から掴むと、ぐにゃぐにゃするパウチ５であっても安定し、しかもパウチ５の口Ｃも広がっており、パウチ５の内容物を受け入れ容器にスムーズに移し替えられる。放射状のガイド３においては図で示すものの他に円錐状のものに穴を開けたものでも同一の効果が期待できる。またこの発明はパウチ５の中に挿入安定棒２を入れて使用するが、パウチの開口部を最大限に押し広げようとすればパウチを袋状にした時の接着部が漏斗４につかえて口が広がりにくいため漏斗４に１箇所又は複数箇所に切れ込み溝を設け、そこへ接着部を逃がせばパウチ開口部を押し広げ易くなり、詰替が一層楽に行えるようになる。
【符号の説明】
【００１０】
１  挿入安定棒の先端
２  挿入安定棒
３  放射状のガイド
４  漏斗
５  パウチ
Ａ  パウチの素材が重なった部分
Ｂ  パウチの素材の隙間
Ｃ  パウチの開封切取り線
【図１】
2015020758.tif 000003
【図２】
2015020758.tif 000004
【図３】
2015020758.tif 000005
【図４】
2015020758.tif 000006
(57)【要約】【課題】  回転羽根（３）が流体圧を受けて回転トルクを得るタームに継いで、反回転トルクとして作用するタームを無力にすることによって連続回転を得ると同時に流体の方向変動に影響を受けない機構を提供する。加えて効率を良くするため構造を簡素化する。【解決手段】  回転主軸（１）にアーム（２）を固定する。アーム（２）の先端に回転主軸（１）と平行に回転羽根軸受（４）を設ける。流体を受ける回転羽根（３）を自由回転するように回転羽根軸受（４）を介してアーム（２）に取り付ける。アーム（２）には回転羽根（３）の回転を止めるストッパー（５）を取付ける。これによって稼働中のトラブルが少なく、また設置法が簡便であることを特徴とする水中水車を得る。【選択図】図１
2015040562.tif 000002
【特許請求の範囲】
【請求項１】
流体圧力を受ける素子として回転羽根（３）を採用し、これを回転主軸（１）に固定されたアーム（２）に回転羽根軸受（４）を介して接続するシンプルで堅牢な構造を持った回転体。
【発明の詳細な説明】
【技術分野】
【０００１】  ３６０度いかなる方向からの水流をも受けて同一方向の回転力を得る回転体である。したがって他の流体についても同様の効果を得る。
【背景技術】
【０００２】  スクリュウ、半水中水車では回転力を得る為の流水方向に大きな制限がある。
【先行技術文献】
【特許文献】
【０００３】  無し
【発明の概要】
【発明が解決しようとする課題】
【０００４】（イ）潮の干満に伴う潮流の転換に対しても同一方向の回転を得させることが可能である。また、流体の流れの方向が大きく乱れても回転トルクは変動しない。
（ロ）回転方向は始動時の初期値で決まる。右回転始動をすれば右回転を、左回転始動をすれば左回転をする。回転羽根（３）が回転羽根軸受（４）によってほぼ３６０度ストッパー（５）の位置まで回転するためである。
（ハ）構造が極めてシンプルなため流体中の浮遊物の傷害に強く稼働中の故障が少ない。
【課題を解決するための手段】
【０００５】  回転主軸（１）に固定されたアーム（２）の先端に流体を受ける回転羽根（３）を自由回転するように回転羽根軸受（４）に取り付ける。アーム（２）には回転羽根（３）の回転を止めるストッパー（５）を取付ける。
本発明は、以上の構成よりなる水中水車である。
【発明の効果】
【０００６】  海洋の潮流、河川の流水に対して安定した回転トルクを得ることが出来る水車であると同時に設置法が自在である。回転主軸（１）を流体に平行に置かなければどのような配置にあっても原理的には回転トルクを得るものである。このため、動力一般を得るばかりかこれに発電機を連結することにより大・小の電力を得る有効な動力源となる。
【図面の簡単な説明】
【０００７】
【図１】水車回転部、回転主軸（１）方向垂直断面図である。
【図２】アーム（２）、回転羽根（３）及びストッパー（５）の取り付け相関図である。
【発明を実施するための形態】
【０００８】  回転主軸（１）に垂直にアーム（２）を固定する。アーム（２）の先端に回転主軸（１）に平行なホールを作り流体圧を受ける回転羽根（３）の回転羽根軸受（４）を設ける。回転羽根（３）が流水圧を受けるタームではアーム（２）の位置で回転羽根（３）の回転を停止させるためアーム（２）にストッパー（５）を取り付ける。これによって回転羽根（３）は水圧を受ける半周でははアーム（２）と共に回転し、残りの半周では回転羽根軸受（４）により水圧を逃がす位置を選んで次の半周へと移動させられる。ここに連続回転水中水車を得るのである。尚、この機構を支えるフレームの構造及びアーム（２）の本数、回転羽根（３）の大きさ・形状、また回転主軸（１）を流体に垂直に置くか水平に置くか等の判断は設置場所の条件によるものである。
【符号の説明】
【０００９】  １  回転主軸
２  アーム
３  回転羽根
４  回転羽根軸受
５  ストッパー
６  ベアリング
【図１】
2015040562.tif 000003
【図２】
2015040562.tif 000004
(57)【要約】      （修正有）【課題】断熱効果が高く、結露が無く、耐火性能及び耐震性能が高い土壁工法の提供。【解決手段】土壁を構成する縦の芯材６及び横の芯材６に、芯材６，６の長手方向に、等間隔に芯材６の巾の寸法まで切り欠き溝どうしを入れ込んで井桁を組み立て、それに壁土２１を詰め込むことで土壁を得る。芯材は厚紙を貼り合わせた壁材、木質系を圧縮したボード、又はベニヤを、井桁に組み立てて壁面を作る。【選択図】図１
2015040404.tif 000002
【特許請求の範囲】
【請求項１】
土壁を構成する縦の芯材及び横の芯材に、芯材の長手方向に、等間隔に芯材の巾の寸法まで切り欠き溝どうしを入れ込んで井桁を組み立て、それに土壁材を詰め込むことを特徴とする土壁工法。
【請求項２】
前記の芯材が厚紙、木質系を圧縮したボード、又はベニヤであることを特徴とする請求項１に記載の土壁工法。
【発明の詳細な説明】
【技術分野】
【０００１】
本発明はグラスウ−ル断熱材に代わる結露しない土壁工法である。
【背景技術】
【０００２】
従来の土壁仕上げには、大きく分けて荒塗り、中塗り、上塗りの行程があり縦横にクロスさせた竹を、縄や紐で結わいて固定し鏝で壁土を塗り込むため時間がかかりすぎる、又厚壁はもっと時間がかかる、従来の土壁には筋かいを入れないために家に強度が備わらない欠点があった。
【先行技術文献】
【特許文献】
【０００３】
土壁については文献が見当たらない。
【発明の概要】
【発明が解決しようとする課題】
【０００４】
木造住宅の断熱材に主に使用されるグラスウ−ル断熱材は、壁内結露で断熱性能が低下し、又その結露で木材が腐り住宅が早く傷む、又土壁工法にすることで火災に強い家ができる。
【０００５】
木造住宅は火災に非常に弱い、火に勢いがつけば一二時間で天井はおろか屋根さえ燃え落ちてしまう、壁を土壁にして天井材に不燃材を使用したら一気に燃え上がることはない。
【０００６】
厚い土壁には湿気を調整する能力がある、例えば梅雨時の蒸し暑い時でも土蔵の中は涼しいのは良い例である、とにかく家に住んで住み心地が良いのが一番である。
【０００７】
従来の土壁工法は竹を縦横に組み立てて縄や紐で結つてはあるが、柱や土台等に穴をあけて竹の先端を差し込むだけで強固に固定されていないのが普通である。
【０００８】
本発明は厚紙で出来た壁材を井桁に組み立て、周囲の木材にビスや釘を高圧エア釘打ち機等で素早く固定できる土壁工法を提供するものである。
【課題を解決するための手段】
【０００９】
従来の竹を使った土壁工法にかえて厚紙で井桁に組み立てた土壁工法を用いる。
【発明の効果】
【００１０】
歴史が示すように良い木造建築なら百年はおろか二百年以上ももてている、しかし木造住宅の場合は条件が厳しい、例えば50日で家を建てて、50年前後でその家を解体して新しく作り直すのが現状である、これでは資源の無駄であり地球環境にも良くない、本発明は健康に良くて住みやすく、夏は涼しく冬は暖かく電気代や光熱費を減らすのが目的である、もちろん電化製品、サッシ、内部の建具等には耐用年数があり、それらを取り換え修理しながら人が長く住まうことを目的とした究極の、省エネ省資源の家造りである。
本発明で使用する厚紙は大変便利なもので、例えばこれがプラスチック板だと加工がしにくいし壁土との相性が悪い、それを木の薄板に変えても品質が安定しないうえに強度がたりない、私がダンボ−ルと厚紙を水に浸して実験したところ、ダンボ−ルは間もなく変形して形をなくしたのに対し、厚紙は一週間水に浸しても変色はしたものの強度には問題はなかった。
【図面の簡単な説明】
【００１１】
【図１】途中まで壁土を詰め込んで尚上部をカットした土壁の前面図、
【図２】土壁の平面図、
【図３】壁材の見取り図、
【図４】鉄骨と組み合わせた壁の平面図、
【図５】同じく見取り図、
【発明を実施するための形態】
【００１２】
ホソ穴17が彫り込まれた土台2を、アンカ−ボルト11とナット13でもってコンクリ−ト基礎1に固定する。
【００１３】
土台2のホソ穴17にホソが設けられた柱3を立てて、筋かい4を斜めに取り付ける時に柱3の垂直を決める。
【００１４】
筋かい4が間柱5に当たるので間柱5の方を切りかぐ、厚紙で出来た壁材6で井桁に組み立てながら柱3と間柱5の間に取り付ける,そのとき壁材6は縦横必要な長さに切り合わせる。
【００１５】
井桁に壁土を詰め込む前に、柱3、間柱5、筋かい4に高圧エア釘打ち機で釘19を打ち込みより強固にする、そしてコンセントボックス15や連結金具18等の金具類はビス20を電動ドライバ−で取り付ける。
【００１６】
電線ケ−ブル14は壁材6に穴をあけて通す、その他の壁に埋め込む物は壁土21を詰め込む前に取り付けておく。
【００１７】
従来の技術と違うところは、竹を組んで土壁を作るのに対して、本発明は図−3に示すように縦の
壁材6には複数の切りかぎAを設け、又横の壁材6には切りかぎBを設けAとＢをかみ合わせることで家を土壁で造ることができる。
【産業上の利用可能性】
【００１８】
建築物は広範にわたる、まず高層建築には向かないが図−4、図−5に示すように          H工と組み合わせれば三階建ての校舎は可能だろう、又事務所などはエァコンに頼りきりは健康に良くない、土壁工法は病院、幼稚園、保育園、老人ホ−ム等人が生活する所は何処でもよい。
【００１９】
この土壁工法にはもう一つの役がある、古い寺や神社の修復にこの工法を使えば早く確実に出来上がる、そしてこの工法で新しい寺を作れば進化した寺になるはずである、今各地で土蔵や土塀が古いまま放置されているが、腕のいい職人が少なくなっても私の土壁工法で十分対応できる。
【符号の説明】
【００２０】
1、コンクリ−ト基礎  2、土台  3、柱  4、筋かい  5、間柱  6、壁材7、角材  8、胴縁  9、壁板  10、サイディング  11、アンカ−ボルト  12、ボルト  13、ナット  14、電線ケ−プル  15、コンセントボックス  16、鉄骨  17、ホソ穴  18、連結金具  19、釘  20、ビス  21、壁土
【図１】
2015040404.tif 000003
【図２】
2015040404.tif 000004
【図３】
2015040404.tif 000005
【図４】
2015040404.tif 000006
【図５】
2015040404.tif 000007
(57)【要約】      （修正有）【課題】軟弱地盤等に多数敷設する土のうの内部充填材の移動を防止するための土のうの締付方法及びその締付装置を提供する。【解決手段】略方形状よりなる土のう本体は、底面３と上面２を有し、底面３と上面２には、各々の中央部に内部を挿通する吊下げ部６を設け、また、底面３には、吊下げ部６と両側の引張部７、７との下端を底面３に各種の手段によって固定する取付部８を設ける。上面２に取付ける締付具５は、中央に開孔部１１を穿設し、且つ、発条部を介して締付腕１０、１０を昇降自在に装設してある。締付具５に吊下げ部６と引張部７、７とを挿通すると共に、引張部７、７の先端を締付腕１０、１０の外周より捲付けて、再度に亘って外部に引張り、締付腕１０、１０の反発力を利用して吊下げ部６と引張部７、７を所定位置で圧持固定し、土のう本体１を締付る。【選択図】図５
2015040469.tif 000002
【特許請求の範囲】
【請求項１】
略方形状よりなる土のう本体（１）は、底面（３）と上面（２）とを有し、該底面（３）と該上面（２）との各々の中央部に内部を挿通する吊下げ部（６）を設け、該上面（２）に締付具（５）を位置し、該締付具（５）を押圧状態に該吊下げ部（６）を引張ることによって土のうを締付る方法。
【請求項２】
請求項１における該底面（３）と該上面（２）には、内部を挿通する吊下げ部（６）と並設して両側に引張部（７）（７）を有し、該吊下げ部（６）には、底部に取付部（８）を設け、該引張部（７）（７）に該締付具（５）に設けた締付腕（１０）（１０）に捲着し、該締付具（５）の開孔部（１１）の下方より外方に引締めることを特徴とした請求項１記載の土のうの締付装置。
【請求項３】
請求項１における土のう本体（１）は、全体を繊維、合成樹脂及び金網等で形成し、該土のう本体（１）には、内部に土類、砂類、砕石類、コンクリート及びアスファルト等の各種の廃材を充填したことを特徴とする請求項１記載の土のうの締付装置。
【発明の詳細な説明】
【技術分野】
【０００１】  本発明は、軟弱な地盤等に多数縦横に土のうを敷設して軟弱等の地盤の上に道路及び構造物等の建設現場に使用される土のうの締付方法及びその締付装置に関するものである。
【背景技術】
【０００２】  従来この種の土のうの敷設に使用されているものは、現場において、大きい織布や網状シートを使用して、砕石や土砂を巻き込んでマットレスのような構造体を作成して軟弱地盤に敷設して補強するものである。
また、通常の土のうやふとん篭には、中に土砂や石材を充填して使用するが、この場合、中に充填された材料は、投入されるだけのため、締め付け及び圧縮や転圧されてなく、隅々までの充填は不可能であり、時間と経過と共に、内部の材料が圧縮圧密されて形状が変形すると云う欠点もある。
更に、施工後の外圧や振動、地震等により、全体的な形状が変形したり、袋自体が破断する等の問題点もある。
【発明の概要】
【発明が解決しようとする課題】
【０００３】    本発明は、上記従来の問題点を解決するために発明したもので、土のうに充填された各種の材料を圧縮及び締め付け又は転圧できない点を解決して、形状の変化及び変形を生じないように、強固に上下より土のうを圧締して締め付けすることを目的とした方法及び装置である。
【課題を解決するための手段】
【０００４】  上記目的を達成するために、本発明の方法及び装置は、土のう本体の底面より内部を挿通する吊下げ部と両側に引張作用する引張部を設ける。また、土のう本体の上面には、締付具を設けて内部に該吊下げ部と該引張部を挿通し、締付具に設けた弾性を有する締付腕に捲着して緩みを防止して強固に固定するものである。
【発明の効果】
【０００５】  本発明は、以上のように構成されている方法及び装置によれば、土のう本体の内部に充填する砕石、石材残土等が充分に圧縮され、時間の経過に対して、形状が変形しない優れた効果がある。
また、締付具に挿通する吊下げ部と両側の引張部とを同時に捲着が出来るので、大変便利であると共に、強固な締め付け効果と、締付具に設けた弾性を有する締付腕によって、相対する両方の引張部によって弾性的に強固に引締め維持する優れた効果もある。
【図面の簡単な説明】
【０００６】
【図１】  本発明の土のう本体の全体斜面図である。
【図２】  同じく本発明の中央の縦断側面図である。
【図３】  本発明の締付具の平面図である。
【図４】  本発明の締付具の側面図である。
【図５】  同じく本発明の土のうの締付された要部の縦断側面図である。
【発明を実施するための形態】
【０００７】  次に、本発明の用法を説明すると、土のう本体の内底部に吊下げ部の先端及び左右の引張部の先端を一緒に取付部で固定し、土のう本体の上面略中央部分で締付具の開孔部に挿入すると同時に、左右の引張部と中央の吊下げ部とを一緒に上方に引張り、該引張部の先端を締付腕に捲付けすると共に、該開孔部より該引張部の先端を再度締付腕に捲付けて、締付具の下方より引張り、締め付け圧縮固定するものである。
【実施例】
【０００８】  本発明の実施例を図面について説明すると、図１の如く、土のう本体（１）は、中央で強固に図２及び図５の如く、締付けされる。
次に、土のう本体（１）は、略方形状を有し、底面（３）と上面（２）とより布団状に形成され、内部には、砕石、石材、残土、砂等の充填材（１２）（１２）を挿入する。
該底面（３）と該上面（２）との各々の中央部に内部を挿通する吊下げ部（６）を設け、該上面（２）には、締付具（５）を位置して押圧状態に該吊下げ部（６）を引張り土のうを圧縮する方法である。
また、該底面（３）には、内部の底部に中央の吊下げ部（６）と両側の引張部（７）（７）との下端を該底面（３）に各種の手段によって取付部（８）に固定する。
該上面（２）に取付ける締付具（５）は、中央に開孔部（１１）を穿設し、且つ、発条部（９）（９）を介して締付腕（１０）（１０）を昇降自在に装設してある。
次に、該締付具（５）には、該開孔部（１１）より該吊下げ部（６）と、該引張部（７）（７）とを挿通すると共に、該引張部（７）（７）の先端を該締付腕（１０）（１０）の外周より捲付けて、再度に亘って該開孔部（１１）より外部に引張って、該締付腕（１０）（１０）の反発力を利用して該吊下げ部（６）と該引張部（７）（７）を所定位置で圧持固定するものである。なお、符号（１３）は、土のう本体（１）の外周を捲着した捲着帯を示したものである。
【符号の説明】
【０００９】１            土のう本体
２            上面
３            底面
５            締付具
６            吊下げ部
７            引張部
８            取付部
９            発条部
１０          締付腕
１１          開孔部
１２          充填材
１３          捲着帯
【図１】
2015040469.tif 000003
【図２】
2015040469.tif 000004
【図３】
2015040469.tif 000005
【図４】
2015040469.tif 000006
【図５】
2015040469.tif 000007
(57)【要約】【課題】  暴漢の動きを封じ込める武具や捕具としても使用可能で、また、旗竿に合成樹脂コーティングを施すことで、旗竿の表面を保護し腐食を防止することができ、さらに、旗竿の後端側に、薄肉状に被覆して設けられた握持部を備えることで、旗竿を握りやすく且つ滑りにくい。【解決手段】  旗竿が、鋼管製であり、旗竿に合成樹脂コーティングが施されており、また、旗竿の後端側に、薄肉状に被覆して設けられた握持部を備えることを特徴とする。【選択図】図１
2015040877.tif 000002
【特許請求の範囲】
【請求項１】
棒状の旗竿の先端側に、交通規制や防犯パトロール中である旨の表示を施した旗体を有する防犯交通安全用パトロール旗において、
該旗竿が、鋼管製であることを特徴とする防犯交通安全用パトロール旗。
【請求項２】
前記旗竿に合成樹脂コーティングが施されていることを特徴とする請求項１記載の防犯交通安全用パトロール旗。
【請求項３】
前記旗竿の後端側に、薄肉状に被覆して設けられた握持部を備えることを特徴とする請求項１又は請求項２の防犯交通安全用パトロール旗。
【発明の詳細な説明】
【技術分野】
【０００１】
本発明は、横断歩道や車道での車両検問時や防犯パトロールの時等に用いられる防犯交通安全用パトロール旗に関する。
【背景技術】
【０００２】
従来より、横断歩道や車道での車両検問等のときに、横断旗や検問停止旗等を用いて、人や車両の誘導が行われている。また、町内の防犯パトロールの時なども、防犯パトロール中である旨の旗を示しつつ、防犯パトロールが行われる。このような用途で用いられる旗として、従来より、防犯交通安全用パトロール旗がある。
【０００３】
この防犯交通安全用パトロール旗としては、例えば特許文献１に示されるようなものがある。特許文献１の車両検問用停止旗は、旗竿の先端側に表示旗を装着しているもので、表示旗は、シート材の両面に交通規制表示を施した旗本体の上辺部に旗竿を挿通する棒挿通部を設けている。そして、旗竿は、透明又は半透明の合成樹脂材で適当な径及び所望長さのパイプ材で構成されている。
【先行技術文献】
【特許文献】
【０００４】
【特許文献１】実開平０５−１２９９８号公報
【発明の概要】
【発明が解決しようとする課題】
【０００５】
しかしながら、従来の防犯交通安全用パトロール旗は、旗竿が合成樹脂製で脆弱であるため、例えば、横断歩道を横断中の児童生徒に対して暴漢が襲ってきた場合に防具として使用しようとしても、簡単に折れたりしてしまいせっかくの棒材なのに活用することが難しい。
【０００６】
本発明は、このような事情に鑑みてなされたもので、暴漢の動きを封じ込める武具や捕具としても使用可能な防犯交通安全用パトロール旗を提供することにある。
【課題を解決するための手段】
【０００７】
請求項１記載の防犯交通安全用パトロール旗は、旗竿が、鋼管製であることを特徴とする。
【０００８】
請求項２記載の防犯交通安全用パトロール旗は、旗竿に合成樹脂コーティングが施されていることを特徴とする。
【０００９】
請求項３記載の防犯交通安全用パトロール旗は、旗竿の後端側に、薄肉状に被覆して設けられた握持部を備えることを特徴とする。
【発明の効果】
【００１０】
本願の発明の防犯交通安全用パトロール旗によれば、旗竿が鋼管製であることから、所定の強度を有しており、暴漢の動きを封じ込める棒状の武具や捕具としても用いることができる。また、旗竿に合成樹脂コーティングを施すことで、旗竿の表面を保護し腐食を防止することができる。さらに、旗竿の後端側に、薄肉状に被覆して設けられた握持部を備えることで、旗竿が握りやすくなったり滑りにくくなる。
【図面の簡単な説明】
【００１１】
【図１】本発明に係る防犯交通安全用パトロール旗の一例を示す正面図である。
【図２】図１のＡ−Ａ線矢視断面図である。
【発明を実施するための形態】
【００１２】
以下、本発明の形態について図面を参照しながら具体的に説明する。図１は、本発明に係る防犯交通安全用パトロール旗の一例を示す正面図である。図２は、図１のＡ−Ａ線矢視断面図である。図における防犯交通安全用パトロール旗１は、横断歩道や車道での車両検問等のときに人や車両の誘導を行うための横断旗や検問停止旗等の機能の他、町内の防犯パトロールの時などに防犯パトロール中である旨を示す旗として用いられるものである。
【００１３】
防犯交通安全用パトロール旗１は、棒状の旗竿１０の先端側１０ａに、交通規制や防犯パトロール中である旨の表示２０ａを施した旗体２０を有している。そして、旗竿１０の旗竿本体１２は、管状で、鋼管製である。具体的には、旗竿本体１２は、鉄やステンレス等でできている（尚、鋼管には、アルミニウム等の鉄以外の金属も含まれるものとする。）。また、旗竿本体１２の表面には、合成樹脂コーティングが施されコーティング層１４が形成されている。このコーティング層１４の合成樹脂は、例えば塩化ビニルである。
【００１４】
さらに、旗竿１０の後端側１０ｂには、薄肉状に被覆して設けられた握持部であるグリップ１６が設けられている。このグリップ１６は、例えば、ポリウレタン製である。尚、旗竿１０の先端側１０ａ及び後端側１０ｂの各端部には、キャップが嵌められており、各端部の開口が塞がれている。
【００１５】
旗体２０は、綿織物の一種である天竺木綿等の布製の旗で、表面に、「防犯」「交通安全」や「パトロール中」等の文字や図柄による表示２０ａが描かれている。旗体２０の上側辺は、細長の袋状になっており、その部分に旗竿１０が射し込まれ、根元部分に略Ｃ環状の留め具２２が装着されて、旗体２０が旗竿１０に固定されている。尚、旗体２０の形状としては、図１に示すような矩形のものや逆三角形のものがあるが、その形状や表示２０ａの内容は使用目的に応じて任意である。
【００１６】
以上のように構成された防犯交通安全用パトロール旗１によれば、旗竿１０の旗竿本体１２が鋼管製であることから、防犯交通安全用パトロール旗１を暴漢の動きを封じ込める棒状の武具や捕具としても用いることができる。尚、旗竿本体１２の硬さとしては、暴漢を撃退するのに十分な強度を有することが求められる。
【００１７】
また、旗竿１０に合成樹脂コーティングを施したコーティング層１４を有することで、旗竿１０の表面を保護し腐食を防止することができる。さらに、旗竿１０の後端側１０ｂに、薄肉状に被覆して設けられた握持部であるグリップ１６を備えることで、旗竿１０が握りやすく滑りにくくなっている。
【産業上の利用可能性】
【００１８】
以上のように、本発明によれば、暴漢の動きを封じ込める武具や捕具としても使用可能な防犯交通安全用パトロール旗を提供することができる。
【符号の説明】
【００１９】
１・・・・・防犯交通安全用パトロール旗
１０・・・・旗竿
１０ａ・・・先端側
１０ｂ・・・後端側
１２・・・・旗竿本体
１４・・・・コーティング層
１６・・・・グリップ
２０・・・・旗体
２０ａ・・・表示
２２・・・・留め具
【図１】
2015040877.tif 000003
【図２】
2015040877.tif 000004
(57)【要約】      （修正有）【課題】歌詞カ−ドを入れる時、入れにくく切れてしまったり、厚い歌詞カ−ドを入れようとすると固定する爪部分が割れたりすることを防止する。【解決手段】ＣＤケ−ス蓋１、手前の歌詞カ−ド固定の爪部分５を無くし歌詞カ−ドが入る奥側の歌詞カ−ド固定の爪部分６も無くし、奥側を折返し部分４のような歌詞カ−ドおさえ３にした、その為歌詞カ−ド固定の爪部分５、６を気にする事もなく、歌詞カ−ドを出し入れする時も、歌詞カ−ド固定の爪部分５、６が無いので爪部分に引掛かり歌詞カ−ドが切れてしまう事がなく歌詞カ−ドを出し入れが非常にスム−スに行えるようになった。【選択図】図１
2015040063.tif 000002
【特許請求の範囲】
【請求項１】
ＣＤケ−ス蓋１の歌詞カ−ド入れ奥側に折返しを付けた歌詞カ−ドおさえにしたことを特徴とするＣＤケース。
【発明の詳細な説明】
【技術分野】
【０００１】
この発明は、ＣＤケースに関する。
【背景技術】
【０００２】
従来のＣＤケースは歌詞カ−ドを入れる時、歌詞カ−ドが入れにくく切れてしまったり
厚い歌詞カ−ドを入れようとすると固定する爪部分が割れたりしていた。
【先行技術文献】
【特許文献】
【０００３】
【特許文献１】実開平０７−０４３８６１
【発明の概要】
【発明が解決しようとする課題】
【０００４】
従来のＣＤケースは少し厚めの歌詞カ−ドを入れる時など、ＣＤケース蓋１の手前の歌詞カ−ド固定の爪部分５  はなんとか入っても、奥側の歌詞カ−ド固定の爪部分６が入らずケースの爪が割れてしまったり、歌詞カ−ドが破けてしまう事や、歌詞カ−ドを抜く時も歌詞カ−ド固定の爪部分が引掛かり歌詞カ−ドが切れてしまったり、薄い歌詞カ−ドなどはＣＤケース歌詞カ−ドストッパ７が低すぎてストッパ部分で止まらず、奥まで入りすぎケ−スが閉まらないなど、非常に出し入れがしにくく、イライラする場面があった。  そこで、この発明は歌詞カ−ドをもっと簡単に出し入れ出来るようにしたＣＤケ−スを提供することを課題とする。
【課題を解決するための手段】
【０００５】
以上の課題を解決するために、第一発明は、ＣＤケ−ス蓋１の、手前の歌詞カ−ド固定の爪部分５を無くし奥側の歌詞カ−ド固定の爪部分６も無くし、奥側を折返し部分４のような歌詞カ−ドおさえ３にした事を特徴とするＣＤケースである。
【発明の効果】
【０００６】
第一発明、によれば、従来のＣＤケ−ス蓋１、手前の歌詞カ−ド固定の爪部分５を無くし歌詞カ−ドが入る奥側の歌詞カ−ド固定の爪部分６も無くし、奥側を折返し部分４のような歌詞カ−ドおさえ３にした、その為歌詞カ−ド固定の爪部分５、６を気にする事もなく、薄い歌詞カ−ドも蓋からはみ出しすぎケ−スが閉まらない事など無いようになり、厚い歌詞カ−ドを抜く時も、歌詞カ−ド固定の爪部分５、６が無いので爪部分に引掛かり歌詞カ−ドが切れてしまう事がなくなった。非常に歌詞カ−ドもが出し入れしやすいＣＤケースになった。
【図面の簡単な説明】
【０００７】
【図１】従来の一実施形態を示すＣＤケースを開いた上面図である。
【図２】この発明の一実施形態を示すＣＤケースを開いた上面図である。
【図３】この発明の一実施形態を示すＣＤケースを開いた側面図である。
【図４】この発明の一実施形態を示すＣＤケースの蓋側折返し状にした側面拡大図である。
【図５】この発明の一実施形態を示すＣＤケースを閉じようとしている側面図である。
【図６】この発明の一実施形態を示すＣＤケースを閉じた上面図である。
【図７】この発明の一実施形態を示すＣＤケースを閉じた側面断面図である。
【図８】この発明の一実施形態を示すＣＤケースを閉じた側面図である。
【図９】従来の一実施形態を示すスリムＣＤケースを開いた上面図である。
【図１０】この発明の一実施形態を示すスリムＣＤケースを開いた上面図である。
【図１１】この発明の一実施形態を示すスリムＣＤケースを開いた側面図である。
【図１２】この発明の一実施形態を示すスリムＣＤケースの蓋側折返し状にした側面拡大図である。
【図１３】この発明の一実施形態を示すスリムＣＤケースを閉じようとしている側面図である。
【図１４】この発明の一実施形態を示すスリムＣＤケースを閉じた上面図である。
【図１５】この発明の一実施形態を示すスリムＣＤケースを閉じた側面断面図である。
【図１６】この発明の一実施形態を示すスリムＣＤケースを閉じた側面図である。
【発明を実施するための形態】
【０００８】
この発明の一実施形態を、図２ＣＤケースを開いた上面図に示す。
第一発明のＣＤケースは図１従来のＣＤケ−ス蓋１の手前の歌詞カ−ド固定の爪部分５を無くし歌詞カ−ドが入る奥側の歌詞カ−ド固定の爪部分６も無くし、図４のように奥側を折返し部分４のような形状の歌詞カ−ドおさえ３にした、その為歌詞カ−ド固定の爪部分５、６を気にする事もなく、薄い歌詞カ−ドも蓋からはみ出しすぎケ−スが閉まらない事など無いようになり、歌詞カ−ドを抜く時も、歌詞カ−ド固定の爪部分５、６が無いので爪部分に引掛かり歌詞カ−ドが切れてしまう事がない。
また図９のような従来のスリムＣＤケースでも同じようにＣＤケ−ス蓋１の手前の歌詞カ−ド固定の爪部分５を無くし歌詞カ−ドが入る奥側の歌詞カ−ド固定の爪部分６も無くし、図１２のように奥側を折返し部分４のような形状の歌詞カ−ドおさえ３にした、その為歌詞カ−ド固定の爪部分５、６を気にする事もなく、薄い歌詞カ−ドも蓋からはみ出しすぎケ−スが閉まらない事など無いようになり、歌詞カ−ドを抜く時も、歌詞カ−ド固定の爪部分５、６が無いので爪部分に引掛かり歌詞カ−ドが切れてしまう事がない。
【実施形態の効果】
【０００９】
この実施形態によれば、歌詞カ−ドおさえ３の形状は従来の歌詞カ−ド固定の爪部分５、６ではすぐ割れてしまうが、接地部分を大きくしたことにより丈夫に割れにくくなっているので歌詞カ−ドおさえ３をさらに薄くする事ができ、厚い歌詞カ−ドが入っても破損しにくくなった。更に従来のＣＤケ−スの歌詞カ−ド固定の爪部分５、６には爪を抜いた為にＣＤケース蓋１に４ヶ所に穴が開いていたが、この穴も無くす事ができるので水などで歌詞カ−ドが濡れにくくなった。
【符号の説明】
【００１０】
１  ＣＤケース蓋
２  ＣＤケ−スベ−ス
３  歌詞カ−ドおさえ
４  折返し部分
５  手前の歌詞カ−ド固定の爪部分
６  奥側の歌詞カ−ド固定の爪部分
７  ＣＤケ−ス歌詞カ−ドストッパ
【図１】
2015040063.tif 000003
【図２】
2015040063.tif 000004
【図３】
2015040063.tif 000005
【図４】
2015040063.tif 000006
【図５】
2015040063.tif 000007
【図６】
2015040063.tif 000008
【図７】
2015040063.tif 000009
【図８】
2015040063.tif 000010
【図９】
2015040063.tif 000011
【図１０】
2015040063.tif 000012
【図１１】
2015040063.tif 000013
【図１２】
2015040063.tif 000014
【図１３】
2015040063.tif 000015
【図１４】
2015040063.tif 000016
【図１５】
2015040063.tif 000017
【図１６】
2015040063.tif 000018
(57)【要約】      （修正有）【課題】トレーラーの転倒事故を生じる恐れのない装置を提供する。【解決手段】連結器４の対称位置にボール８ａ、８ｂを収納した台板９ａ、９ｂをトラック２に取り付け、台板９ａ、９ｂの真上に台板１０ａ、１０ｂをトレーラー３に取り付けた構造とする。【選択図】図５
2015040035.tif 000002
【特許請求の範囲】
【請求項１】
連結器４の対称位置にボール８ａ、８ｂを収納した台板９ａ、９ｂをトラック２に取り付け、台板９ａ、９ｂの真上に台板１０ａ、１０ｂをトレーラー３に取り付けたトレーラー転倒防止装置７
【請求項２】
連結器４の対称位置に台板９ｃ、９ｄをトラック２に取り付け、台板９ｃ、９ｄの真上に台板１０ａ、１０ｂをトレーラー３に取り付けたトレーラー転倒防止装置７
【発明の詳細な説明】
【発明の詳細な説明】
【産業上の利用分野】
【０００１】  本発明は道路に走行している牽引自動車に関する、さらに詳しくは、トレーラーの転倒防止装置に関する。
【背景技術】
【０００２】  従来より道路に走行している自動車で特に重量物を運搬するために、牽引自動車が使用されている。【０００３】  牽引自動車は図２に示す運転台、エンジンを装備したトラック２´と図３に示す荷台、タイヤ部を装備したトレーラー３´より構成されている。【０００４】  トラック２´とトレーラー３´を連結するためトラック２´の連結器４´の穴部５´にトレーラー３´の連結ピン６´を挿入する。【０００５】  図４はトラック２´とトレーラー３´が連結した状態を示す。【０００６】  連結した状態で牽引自動車がカーブを通過する際、トレーラー３´が傾いて、転倒事故が生じることがある。
【発明の開示】
【発明が解決しようとする課題】
【０００７】  本発明はかかる従来の技術の課題に鑑み、なされたものであってトレーラー３´の転倒事故が生じる恐れのない装置を提供することを目的としている。
【課題を解決するための手段】
【０００８】  本発明のトレーラー転倒防止装置７は、図４に示すトラック２´とトレーラー３´の連結器４´部の隙間１３を少なくすることを特徴とする。
【発明の効果】
【０００９】  本発明のトレーラー転倒防止装置７は前記の如く構成されているので、牽引自動車１がカーブを通過しても転倒しない優れた効果が得られる。
【発明を実施するための最良の形態】
【００１０】  以下、添付図面を参照しながら本発明を実施形態に基づいてするが、本発明は、かかる実施形態のみに限定されるものではない。
【実施形態１】
【００１１】  図５は本発明の実施形態１に係るトレーラー転倒防止装置７の断面図を示す。
【００１２】  図５に示すトレーラー転倒防止装置７は、トラック２の連結器４の対称位置にボール８ａ、８ｂを収納した台板９ａ、９ｂをトラック２に取り付け、台板９ａ、９ｂの真上に台板１０ａ、１０ｂをトレーラー３に取り付けた構造とする。
【００１３】  図５に示すボール８ａ、８ｂは、台板９ａ、９ｂより外れないようになっており、台板９ａ、９ｂ内で回転自在である。
【００１４】  台板９ａ、９ｂ及び台板１０ａ、１０ｂは矩形板及び円板等の形状がある。
【００１５】  ボール８ａ、８ｂの上部と台板１０ａ、１０ｂは、牽引自動車１が通常の走行の際は隙間１１ａ、１１ｂを保持する構造とする。
【００１６】  図７に本発明の実施形態２に係るトレーラー転倒防止装置７の断面図を示す。
【００１７】  図７に示す台板９ｃ、９ｄの中にはボールは収納せず、台板９ｃ、９ｄのみの構造とする。
【００１８】  台板９ｃ、９ｄと台板１０ａ、１０ｂは牽引自動車１が通常走行の際は、隙間１２ａ、１２ｂを保持する構造とする。
【発明の効果】
【００１９】  図６、図７に示すように牽引自動車１が通常走行の際は隙間１１ａ、１１ｂ及び１２ａ、１２ｂは保持され、カーブを通過する際は、ボール８ａ、８ｂと台板１０ａ、１０ｂ、台板９ｃ、９ｄと台板１０ａ、１０ｂが接触するためトレーラー３の傾きが少ないため、トレーラー３の転倒を防ぐことができる。
【図面の簡単な説明】
【図１】  本発明の実施形態１、２の牽引自動車の斜視図である。
【図２】  従来のトラックの斜視図である。
【図３】  従来のトレーラーの斜視図である。
【図４】  従来の牽引自動車の連結部を示す詳細図である。
【図５】  実施形態１の連結器の部分のＡ−Ａ断面の一部を示す。
【図６】  図５のボール部の拡大図である。
【図７】  実施形態２の連結器の部分のＡ−Ａ断面の一部を示す。
【符号の説明】１        牽引自動車
２        トラック
３        トレーラー
４        連結器
６        連結ピン
７        トレーラー転倒防止装置
８ａ      ボール
８ｂ      ボール
９ａ      台板
９ｂ      台板
１１ａ    隙間
１１ｂ    隙間
【図１】
2015040035.tif 000003
【図２】
2015040035.tif 000004
【図３】
2015040035.tif 000005
【図４】
2015040035.tif 000006
【図５】
2015040035.tif 000007
【図６】
2015040035.tif 000008
【図７】
2015040035.tif 000009
(57)【要約】      （修正有）【課題】デンタルミラーを使用して治療を行う時、舌がはみ出して傷つけることを防ぐため、デンタルミラーで舌を押さえ、はみだしを防止する。【解決手段】デンタルミラー１のミラー６を３歯映る程度に大きくする。デンタルミラー１が舌下に沈み込むことができるように柄２を湾曲させる。デンタルミラー１は、舌面が見えるよう、ガラスもしくはステンレスにて表裏ともミラー面とする。歯科用デンタルミラーを兼ねた舌のはみ出しを防止する機器である。【選択図】図３
2015112467.tif 000002
【特許請求の範囲】
【請求項１】
（イ）デンタルミラーの柄の部分を湾曲する。
（ロ）デンタルミラーは３歯ぐらいうつる大きさにする。形状は四角でも長方形でも丸でも舌を排除できる形であれば何でもよい
（ハ）ミラートップのみにする場合は湾曲した柄のさきにネジを設ける
（ニ）ミラーにあたる部分は表裏をミラーにする。ガラスでもステンレスでもよい
【発明の詳細な説明】
【発明の詳細な説明】
この発明は歯科分野において口腔内の舌を排除する有効な機器である
通常より大きいミラーが付いてるため、形成した歯と歯の平行性を見ることができる。
現在、舌を排除する機器はなく、ミラーなどを利用している
ミラーを使って治療すると、その大きさが小さいため、舌がはみ出し、傷つける事もある。
デンタルミラーは直線なので、タービン（歯を削合する機械）の操作範囲を妨害する。
本発明はその欠点を除くために考えられたもので、歯を削合する時に、口の中に入る大きさで視野や操作範囲を妨害せず、カバーできるものを考えた。
表裏にミラーをつけたのは、舌を排除する役割で舌面が決っている。
そのため左右見る場合は必要になる
その一番の請求の範囲は湾曲した柄と大きめの両面ミラーです、
【図面の簡単な説明】
【図１】  本発明の正面図
【図２】  ミラートップのみ図
【図３】  本発明の使用中の斜視図である
【符号の説明】（１）デンタルミラー  （２）湾曲した柄  （３）ネジ  （４）舌面  （５）上部  （６）ミラー
【図１】
2015112467.tif 000003
【図２】
2015112467.tif 000004
【図３】
2015112467.tif 000005
(57)【要約】【課題】従来の火力を弱める、差し水は火の傍で湯の沸き具合を見張らなければならず気疲れするので夏は暑苦しかった。落し蓋は湯の勢いで浮き上ってしまい吹き零れた。対流鍋は価格が高く（約１万円）、大きい為収納が不便だった。特許文献は複雑な構造で使い勝手が悪い。本発明は、安心して麺を茹でることのできる用具を提供する。【解決手段】突沸を起こした時に、湯と一緒に浮き上がらない重量感のある陶磁器素材を用いて形成された直径約８ｃｍ程の球体の任意の位置に、扁平な面を一箇所形設し、安定底面とする。この安定底面を除く他の任意の複数個所に直径約２ｃｍ程の対流孔を作製し、それぞれの対流孔は球体の大凡真反対側に直線的に貫通する形で作製したことを特徴とする吹き零れ防止具である。【選択図】図１
2015112469.tif 000002
【特許請求の範囲】
【請求項１】
突沸を起こした時に湯と一緒に浮き上がらない重量感のある陶磁器素材を用いて形成された直径約８ｃｍ程の球体の任意の位置に扁平な面を一箇所形設して安定底面とする。球体の任意の位置に、直径約２ｃｍ程の複数の対流孔を作製し、それぞれの対流孔は、大凡球体の真反対側に直線的に繋がるように作製したことを特徴とする吹き零れ防止具。
【発明の詳細な説明】
【技術分野】
【０００１】  本発明は麺類を茹る時に生じる突沸による吹き零れを防止する用具に関するものである。
【背景技術】
【０００２】  従来、蕎等の麺類を茹る時に生じる突沸による吹き零れを防ぐ方法は、火力を弱める、差し水をして湯の温度を下げる、落し蓋をする、対流鍋を使用する等が知られている。また下記のような吹き零れ防止具が提案されている。
【先行技術文献】
【特許文献】
【０００３】
【特許文献１】登録実用新案  第３０１２１２７号  公報
【特許文献２】特許公開  平−８５１３８号  公報
【特許文献３】登録実用新案  第３１６３６９０号  公報
【発明の概要】
【発明が解決しようとする課題】
【０００４】  従来の火力を弱める、差し水は火の傍で沸き具合を見張らなければならず気疲れのするもので夏は暑苦しかった。落し蓋は湯の勢いで浮き上ってしまい吹き零れた。対流鍋は価格が高く（約１万円）、大きい為収納が不便だった。特許文献は複雑な構造で使い勝手が悪い。
本発明は以上の問題点を解決する為になされたものである。
【課題を解決する為の手段】
【０００５】  突沸を起こした時に、浮き上がらない重量感のある陶磁器素材を用いて形成された直径約８ｃｍ程の球体の任意の位置に扁平な面を一箇所形設し、安定底面とする。この安定底面を除く他の任意の複数個所に、直径約２ｃｍ程の対流孔を作製し、それぞれの対流孔は、球面の大凡真反対側に直線的に貫通する形で作製したことを特徴とする吹き零れ防止具である。
【発明の効果】
【０００６】  扁平な安定底面を底にして鍋底に置けば沸騰した湯の勢いでぐらついたりしない。又、重量感のある陶磁器なので湯の勢いで浮き上ったり不安定になることがない。対流孔に流れ込んだ湯はどの孔から入り込んでも直線的に抵抗なくこちらから向こう側へスムースに通流するので対流促進の機能を果たすことが出来る。タイマーで時間をセットして置けば火の前で見張って差し水をしたり、火力を弱める必要がなくなる。同じ球体の大きさのもので鍋の大きさにはほとんど関係なく同様の効果を得られる。小さい球体なので収納に困らない。安価で購入できる。湯の温度が１００℃以上になっても対流は止まらない。
【図面の簡単な説明】
【０００７】
【図１】本発明の斜視図
【図２】本発明の使用状態を示す斜視図
【発明を実施する為の形態】
【０００８】  以下、本発明の実施の形態を説明する。
陶磁器素材を用いて形成された直径約８ｃｍ程の球体の任意の位置に扁平な面を一箇所形設し、安定底面とする。この安定底面を除く他の任意の複数個所に、直径約２ｃｍ程の対流孔を作製し、それぞれの対流孔は、球面の大凡真反対側に直線的に繋がるように作製する。本発明は以上のような構造である。本発明を使用する時は安定側面を底にして鍋底に沈め湯を沸かし緬を茹でる。
【符号の説明】
【０００９】  １  対流孔、  ２  安定底面
【図１】
2015112469.tif 000003
【図２】
2015112469.tif 000004
(57)【要約】      （修正有）【課題】収納部とフタ、ファスナー式等で開閉を行っていて、接触の不具合で使えなくなる事がない筆箱を提供する。【解決手段】巻き取り式メジャーのように、テープを巻き取って収納する巻き取り機構１と、それによって巻き取られていく収納基布帯３及び、縁取りテープ２がケース本体４に収納され、巻き取り機構１はカム５と回転子６とバネ７が三層に重なり合い、ノック棒８によってロックしたり解除したりでき、巻き取り機構１をケース本体４の上下に設置し、上下の巻き取り機構１によって、収納基布帯３の上下を縁取っている、縁取りテープ２を上下同時に巻き取ることができ、ロックをかけることで途中で自由に止めることができ、収納基布帯３には複数箇所に筆記用具を入れるポケット９を設置し、収納基布帯３をケース本体４から出し入れして利用する。【選択図】図１
2015112461.tif 000002
【特許請求の範囲】
【請求項１】
巻き取り式メジャーのように、テープを巻き取って収納する巻き取り機構と、それによって巻き取られていく収納基布帯及び、縁取りテープがケース本体に収納され、成る巻取り式筆箱巻取り式筆箱で、巻き取り機構はカムと回転子とバネが三層に重なり合いノック棒によってロックしたり解除したりでき、この巻き取り機構をケース本体の上下に設置し、上下それぞれの巻き取り機構によって、収納基布帯の上下を縁取っている縁取りテープを上下いっぺんに巻き取ることができ、ノック棒でロックをかけることで途中で自由自在に止めることができ、収納基布帯には複数箇所に筆記用具を入れるポケットを設置し、収納基布帯をケース本体から出し入れして筆記用具入れとして利用することを特徴とする巻き取り式筆箱。
【発明の詳細な説明】
【技術分野】
【０００１】  本発明は巻き取り機能のついた筆箱に関するものである。
【背景技術】
【０００２】  従来、筆箱はチャック式やマグネット式留め具式などが主流であった。
【発明の概要】
【発明が解決しようとする課題】
【０００３】  従来の筆箱は収納部とフタ、あるいはファスナー式等でと開閉を行っていた。
そのため接触の不具合で使えなくなる事があった。
本発明は以上の問題点を解決するためになされたものである。
【課題を解決するための手段】
【０００４】  巻き取り式メジャーのように、テープを巻き取って収納する巻き取り機構と、それによって巻き取られていく収納基布帯及び、縁取りテープがケース本体に収納され、成る巻取り式筆箱巻取り式筆箱である。
巻き取り機構はカムと回転子とバネが三層に重なり合いノック棒によってロックしたり解除したりできる。
この巻き取り機構をケース本体の上下に設置し、上下それぞれの巻き取り機構によって、収納基布帯の上下を縁取っている縁取りテープを上下いっぺんに巻き取ることができ、ノック棒でロックをかけることで途中で自由自在に止めることができる。
収納基布帯には複数箇所に筆記用具を入れるポケットを設置する。
収納基布帯をケース本体から出し入れして筆記用具入れとして利用する。
以上を特徴とする巻き取り式筆箱である。
【発明の効果】
【０００５】  上下の巻き取り機構でテープを引き伸ばしたり巻き取ったりすることで従来の収納部とフタ、あるいはファスナー式等の開閉とは違い、ノック式のロックまたは解除で筆記用具を出し入れできる。
使用後はノックでロックを解除すれば巻き取りメジャーの如く、収納部全体がケース本体に巻き取られ、簡単に収納されて収納スペースの心配も無用である。
また上下の巻き取り機構は接触しないので開閉時に不具合が起きにくいのである。
【図面の簡単な説明】
【０００６】
【図１】本発明の使用状態を表した平面図
【図２】本発明の巻き取り機構の一部であるカム、回転子、バネ、ノック棒の分解図
【発明を実施するための形態】
【０００７】  以下本発明の実施の形態を説明する。
巻き取り式メジャーのようにテープを巻き取って収納する
巻き取り機構（１）と、それによって巻き取られていく収納基布帯（３）及び縁取りテープ（２）がケース本体（４）に収納され、成る巻取り式筆箱で、巻き取り機構（１）はカム（５）と回転子（６）とバネ（７）が三層に重なり合い、ノック棒（８）によってロックしたり解除したりでき、この巻き取り機構（１）をケース本体（４）の上下に設置し、上下それぞれの巻き取り機構（１）によって、収納基布帯（３）の上下を縁取っている縁取りテープ（２）を上下いっぺんに巻き取ることができ、ノック棒（８）でロックをかけることで途中で自由に止めることができ、収納基布帯（３）には複数箇所に筆記用具を入れるポケット（９）を設置し、収納基布帯（３）をケース本体（４）から出し入れして筆記用具入れとして利用する。
以上を特徴とする巻き取り式筆箱である。
本発明を使用するときは、ケース本体（４）から収納基布帯（３）及び縁取りテープ（２）を引っ張り、ノック棒（８）を押してロックし、ポケット（９）から筆記用具を出し、使用中または使用後は再びノック棒（８）を押してロックを解除し収納基布帯（３）及び縁取りテープ（２）が、巻き取り機構（１）によりケース本体（４）に収納される。
【符号の説明】
【０００８】１巻き取り機構、２縁取りテープ、３収納基布帯、４ケース本体、
５カム、６回転子、７バネ、８ノック棒、９ポケット、
【図１】
2015112461.tif 000003
【図２】
2015112461.tif 000004